(57)【要約】  本発明に係るスピーカ筐体は、スピーカユニットが、取り付けられる前面壁と、少なくとも１つの第１壁と、少なくとも１つの第２壁と、前記各第１壁に取り付けられる、複数のリブと、を備え、前記前面壁、前記第１壁、及び前記第２壁によって内部空間が形成され、前記第１壁を区切る複数のメッシュを規定し、前記第１壁において、前記リブが設けられていない状態で振動が生じたときに、当該振動によって前記各メッシュに発生する最大主応力の方向に基づいて、前記リブの形状が決定されている。
2020054854.tif 000002
【特許請求の範囲】
【請求項１】
スピーカユニットが、取り付けられる前面壁と、
少なくとも１つの第１壁と、
少なくとも１つの第２壁と、
前記各第１壁に設けられる、複数のリブと、
を備え、
前記前面壁、前記第１壁、及び前記第２壁によって内部空間が形成され、
前記第１壁を区切る複数のメッシュを規定し、
前記第１壁において、前記リブが設けられていない状態で振動が生じたときに、当該振動によって前記各メッシュに発生する最大主応力の方向に基づいて、前記リブの形状が決定されている、スピーカ筐体。
【請求項２】
前記各リブは、隣接する前記メッシュに生じる最大主応力の方向を連結した、連続する曲線または直線形状である、請求項１に記載のスピーカ筐体。
【請求項３】
前記各リブは、最大主応力の向き及び大きさが最も近い隣接するメッシュ同士を連結する方向に延びている、請求項１または２に記載のスピーカ筐体。
【請求項４】
前記振動によって前記各メッシュに発生するミーゼス応力に応じて、前記各リブの前記各メッシュと対応する位置での高さが決定されている、請求項１から３のいずれかに記載のスピーカ筐体。
【請求項５】
前記振動によって前記各メッシュに発生するミーゼス応力に応じて、前記各リブの前記各メッシュと対応する位置での幅が決定されている、請求項１から３のいずれかに記載のスピーカ筐体。
【請求項６】
前記振動は、一次モードの振動である、請求項１から５のいずれかに記載のスピーカ筐体。
【請求項７】
スピーカユニットが、取り付けられる前面壁と、
少なくとも１つの第１壁と、
少なくとも１つの第２壁と、
前記各第１壁に設けられる、複数のリブと、
を備え、
前記前面壁、前記第１壁、及び前記第２壁によって内部空間が形成され、
前記複数のリブは、略平行に第１方向に並べられ、
前記複数のリブの少なくとも一部は、前記第１方向の両側のいずれか一方に凸となるように湾曲している、スピーカ筐体。
【請求項８】
前記複数のリブの少なくとも一部は、前記第１方向の中央付近から離れるにしたがって、曲率半径が小さくなるように設けられている、請求項７に記載のスピーカ筐体。
【請求項９】
前記複数のリブは、
直線状に延びる第１リブと、
前記第１リブから前記第１方向の一方側に配置され、当該一方側に凸となるように湾曲する少なくとも１つの第２リブと、
前記第１リブから前記第１方向の他方側に配置され、当該他方側に凸となるように湾曲する少なくとも１つの第３リブと、
を備えている、請求項７または８に記載のスピーカ筐体。
【請求項１０】
前記複数のリブは、前記第１方向の中央付近に近い前記リブほど、当該リブの幅及び高さの少なくとも一方が、大きくなるように設けられている、請求項７から９のいずれかに記載のスピーカ筐体。
【請求項１１】
前記各リブは、当該リブが延びる方向に沿って、幅及び高さの少なくとも一方が変化するように設けられている、請求項７から１０のいずれかに記載のスピーカ筐体。
【請求項１２】
前記複数のリブは、前記第１方向と直交する方向が、水平方向である、請求項７から１１のいずれかに記載のスピーカ筐体。
【発明の詳細な説明】
【技術分野】
【０００１】
この発明は、スピーカ筐体に関する。
【背景技術】
【０００２】
スピーカでは、放音によりスピーカ筐体に振動が発生する。このスピーカ筐体の振動は、スピーカの再生音の品質に重要な影響を与える。そこで、スピーカ筐体の剛性を高めて、再生音の品質を制御する技術が提供されている。【０００３】
特許文献１に開示の技術では、スピーカ筐体の内壁の表面に複数のリブを設けている。ここで、各リブは筐体の奥行き方向に延びた直線形状をなしており、各リブの寸法は異なっている。この技術によれば、スピーカ筐体の振動モードを変化させることにより、スピーカの音質を変化、向上させることができる。【０００４】
特許文献２に開示の技術では、スピーカ筐体の内壁に凹凸部を設ける。ここで、凹凸形状は平面視で円、楕円、矩形、長方形、直線状、曲線状、波線状などの形状である。このような凹凸の繰り返しを設けることにより、スピーカ筐体をなす板材全体の厚みを増加しなくても、スピーカ筐体の剛性を高め、板材の実質上の振動スパンを短くして共振現象を抑制することができる。
【先行技術文献】
【特許文献】
【０００５】
【特許文献１】実公昭５８−０４６６１３号公報
【特許文献２】特公平０１−０３０３５４号公報
【発明の概要】
【発明が解決しようとする課題】
【０００６】
特許文献１および２に開示されているようにスピーカ筐体の内壁にリブや凹凸を設けると、スピーカ筐体の剛性が向上し、スピーカ筐体の振動を抑制することができる。しかし、特許文献１および２に開示の技術は、スピーカ筐体に発生する振動のうち再生音の品質に影響を与える特定モードの振動に的を絞って剛性を高めるものではない。このため、再生音の品質劣化を抑制するために、スピーカ筐体に発生し得る広範囲の振動モードを対象として、強い剛性の得られる大規模なリブや凹凸を設ける必要があり、スピーカ筐体の重量の増加の要因となっていた。【０００７】
この発明は以上のような事情に鑑みてなされたものであり、スピーカ筐体の重量の増加を回避しつつ特定モードの振動に対する剛性を高め、再生音の品質劣化を抑制する技術的手段を提供することを目的とする。
【課題を解決するための手段】
【０００８】
本発明に係る第１のスピーカ筐体は、スピーカユニットが、取り付けられる前面壁と、少なくとも１つの第１壁と、少なくとも１つの第２壁と、前記各第１壁面に設けられる、複数のリブと、を備え、前記前面壁、前記第１壁、及び前記第２壁によって内部空間が形成され、前記第１壁を区切る複数のメッシュを規定し、前記第１壁において、前記リブが設けられていない状態で振動が生じたときに、当該振動によって前記各メッシュに発生する最大主応力の方向に基づいて、前記リブの形状が決定されている。【０００９】
本発明に係る第２のスピーカ筐体は、スピーカユニットが、取り付けられる前面壁と、少なくとも１つの第１壁と、少なくとも１つの第２壁と、前記各第１壁面に設けられる、複数のリブと、を備え、前記前面壁、前記第１壁、及び前記第２壁によって内部空間が形成され、前記複数のリブは、略平行に第１方向に並べられ、前記複数のリブの少なくとも一部は、前記第１方向の両側のいずれか一方に凸となるように湾曲している。
【図面の簡単な説明】
【００１０】
【図１】この発明の一実施形態であるスピーカ筐体の構成を示す図である。
【図２Ａ】図１のスピーカ筐体における左壁面のリブの構成例を示す図である。
【図２Ｂ】図１のスピーカ筐体における背面面のリブの構成例を示す図である。
【図３Ａ】一次モードの振動を発生させた場合に左面壁に発生する応力分布を示す図である。
【図３Ｂ】図３Ａの応力が発生した状態における、左壁面のミーゼス応力の分布を示す図である。
【図４Ａ】一次モードの振動を発生させた場合に背面壁に発生する応力分布を示す図である。
【図４Ｂ】図４Ａの応力が発生した状態における、背面面のミーゼス応力の分布を示す図である。
【図５】リブの形状の決定方法を説明する図である。
【図６】同実施形態の第３比較例であるスピーカ筐体の構成を示す図である。
【図７】同実施形態の第１比較例であるスピーカ筐体に発生する振動の周波数特性を示す図である。
【図８】同実施形態の第２比較例であるスピーカ筐体に発生する振動の周波数特性を示す図である。
【図９】同実施形態の第３比較例であるスピーカ筐体に発生する振動の周波数特性を示す図である。
【図１０】同実施形態のスピーカ筐体に発生する振動の周波数特性を示す図である。
【図１１Ａ】この発明の他の実施形態であるスピーカ筐体の内壁面に固定されるリブの構成例を示す図である。
【図１１Ｂ】この発明の他の実施形態であるスピーカ筐体の内壁面に固定されるリブの構成例を示す図である。
【図１２】この発明の他の実施形態であるスピーカ筐体の内壁面に固定されるリブの構成例を示す図である。
【発明を実施するための形態】
【００１１】
以下、図面を参照し、この発明の実施形態について説明する。
【００１２】
図１はこの発明の一実施形態であるスピーカ筐体１０の構成を示す図である。このスピーカ筐体１０は、前面壁１１と、この前面壁１１と対向する背面壁１２と、前面壁１１および背面壁１２間の内部空間を左右から挟む左面壁１３および右面壁１４と、同内部空間を上下から挟む天井壁１５および床壁１６とを有する。前面壁１１は、スピーカユニットを収容する孔２１および２２が形成されている。
【００１３】
そして、左面壁１３の内壁面には、形状の異なる複数本のリブ３１Ｌ〜３５Ｌが略平行に並んで固定されている。ここで、リブ３１Ｌ〜３５Ｌは、左面壁１３の下側の短辺から上側の短辺に向かう方向に並んでいる。
【００１４】
リブ３３Ｌは、リブ３１Ｌ〜３５Ｌの略中央に位置し、平面視において左面壁１３の上下の天井壁１５および床壁１６に平行な直線形状をなしている。また、リブ３３Ｌの上側に並んだリブ３４Ｌおよび３５Ｌは、平面視において上側に膨らんだ曲線形状、具体的には円弧形状をなしている。また、リブ３３Ｌの下側に並んだリブ３２Ｌおよび３１Ｌは、平面視において下側に膨らんだ曲線形状、具体的には円弧形状をなしている。すなわち、リブ３１Ｌ〜３５Ｌは、リブ３３Ｌを中心としてリブの並べられた方向に膨らんだリブ３４Ｌおよび３５Ｌとリブ３２Ｌおよび３１Ｌとを含む。また、リブ３５Ｌの曲率半径はリブ３４Ｌの曲率半径よりも小さく、リブ３１Ｌの曲率半径はリブ３２Ｌの曲率半径より小さい。各リブ３１Ｌ〜３５Ｌは、並び方向中央付近のリブ（具体的にはリブ３３Ｌ）から並び方向両側のリブ（具体的にはリブ３５Ｌおよび３１Ｌ）に向かう程、曲率半径が小さくなる。
【００１５】
右面壁１４の内壁面にも、リブ３１Ｌ〜３５Ｌと同様な形状のリブ３１Ｒ〜３５Ｒが上下方向に並んで固定されている。背面壁１２の内壁面にも、リブ３１Ｌ〜３５Ｌと同様な形状のリブ３１Ｂ〜３５Ｂが上下方向に並んで固定されている。
【００１６】
本実施形態において、各リブの筐体内壁面からの高さは、長手方向の位置により変化する。図２Ａは左面壁１３に固定されたリブ３３Ｌを左面壁１３に平行な方向から見た図である。また、図２Ｂは左面壁１３に固定されたリブ３５Ｌを左面壁１３に平行な方向から見た図である。
【００１７】
図２Ａに示すように、リブ３３Ｌの左面壁１３からの高さは、リブの長手方向両端から長手方向中央に向かうに従って高くなっている。また、図２Ｂに示すように、リブ３５Ｌの左面壁１３からの高さは、リブの長手方向両端から離れるに従って一旦高くなり、長手方向中央に向かうに従って低くなる。図示は省略したが、他のリブ３１Ｌ、３２Ｌ、３４Ｌも同様であり、各リブの筐体内壁面からの高さは、長手方向の位置により変化する。右面壁１４のリブ３１Ｒ〜３５Ｒ、背面壁１２のリブ３１Ｂ〜３５Ｂも同様である。
【００１８】
また、本実施形態では、リブ３１Ｌ〜３５Ｌの左面壁１３からの平均的な高さは、並び方向中央から並び方向両側に向かうに従って低くなっている。右面壁１４のリブ３１Ｒ〜３５Ｒ、背面壁１２のリブ３１Ｂ〜３５Ｂも同様である。ここで、平均的な高さとは、リブの長手方向の各位置での高さの平均的な高さを意味する。
【００１９】
図３および図４は本実施形態におけるリブの形状の決定方法を説明する図である。スピーカ筐体の振動対策では、放射音寄与の大きい１次モードの振動対策が重要視されている。そこで、本願発明者は、リブが設けられていないスピーカ筐体１０に１次の振動モードを発生させ、この状態においてスピーカ筐体１０の各壁に発生する応力分布を求めた。図３Ａおよび図４Ａは、１次モードの振動を発生させた場合に左面壁１３および背面壁１２に発生する応力分布を示している。図３Ｂおよび図４Ｂは、図３Ａおよび図４Ａの応力が発生している状態における筐体内壁面の各位置におけるミーゼス応力の分布を示している。ここで、ミーゼス応力は、応力のスカラー値である。図３Ｂおよび図４Ｂではミーゼス応力がドットの密度により表現されており、ミーゼス応力の高い領域程、ドットの密度が高くなっている。なお、図４Ａおよび図４Ｂにおいて、１２１および１２２は、配線取り出し等のために背面壁１２に形成された孔を示している。
【００２０】
図３Ａおよび図４Ａには左面壁１３および背面壁１２の下側の短辺から上側の短辺に向かって略平行に並び、複数の矢印を連鎖させた曲線または直線（以下、単に線という）３１Ｌ’〜３５Ｌ’および線３１Ｂ’〜３５Ｂ’が示されている。これらの線の各位置における矢印は、当該位置における最大主応力を模式的に示している。これらの線３１Ｌ’〜３５Ｌ’および線３１Ｂ’〜３５Ｂ’は、左面壁１３または背面壁１２の壁面上の各位置における最大主応力方向に基づく形状からなる。具体的には、線３１Ｌ’〜３５Ｌ’および線３１Ｂ’〜３５Ｂ’は、左面壁１３または背面壁１２において、線上の各位置における最大主応力方向が連続するように形状が決定されている。線３１Ｌ’〜３５Ｌ’および線３１Ｂ’〜３５Ｂ’の決定方法に関しては各種の方法が考えられるが、例えば次のように決定してもよい。
【００２１】
まず、左面壁１３および背面壁１２の壁面を微細なメッシュ（例えば、最大外径が、１〜５ｍｍのメッシュ）に区切り、各メッシュにおける最大主応力を求める。次に、図５に示すように、左面壁１３および背面壁１２の左右方向中央において、各壁の上辺から下辺までの区間を略均等に６分割し、５個の分割位置を各々初期位置Ｘ０とする。次に線３１Ｌ’〜３５Ｌ’および線３１Ｂ’〜３５Ｂ’における各初期位置Ｘ０から右側の部分を求める。具体的には、図５の拡大図に示すように、初期位置Ｘ０を現在位置Ｘ１とし、現在位置Ｘ１のメッシュにおける最大主応力と、当該メッシュの右上の位置Ｘ２、右側の位置Ｘ３、右下の位置Ｘ４の各メッシュにおける最大主応力を比較し、向きおよび大きさが最も近い最大主応力の発生しているメッシュを選択する。この選択したメッシュを現在位置のメッシュとし、同様の処理を繰り返す。このようにして、線３１Ｌ’〜３５Ｌ’および線３１Ｂ’〜３５Ｂ’のうち初期位置Ｘ０から右側の部分の形状が決定される。同様の処理により線３１Ｌ’〜３５Ｌ’および線３１Ｂ’〜３５Ｂ’のうち初期位置Ｘ０から左側の部分の形状が決定される。
【００２２】
ここで、応力と歪は比例関係にあるので、最大主応力方向は大きな歪が発生している方向であると考えられる。従って、大きな歪が発生する最大主応力方向の剛性を高めれば１次モードの振動に対する剛性を効果的に高めることができると考えられる。そこで、本実施形態では、壁に沿った線上の各位置における最大主応力が連続する曲線または直線形状を描く線を求め、これらの線に沿って延びるリブをスピーカ筐体１０の各内壁面に固定しているのである。
【００２３】
すなわち、図１に示すように、左面壁１３、背面壁１２、及び右面壁１４には、それぞれ５本ずつのリブが形成されている。そして、図１におけるリブ３１Ｌ〜３５Ｌ、３１Ｂ〜３５Ｂおよび３１Ｂ〜３５Ｂの形状は、このようにリブが設けられていないスピーカ筐体１０の各壁面において、線上の各メッシュにおける最大主応力が連続する曲線または直線形状を描く線に沿うように決定されている。
【００２４】
具体的には、例えば、図１の左面壁１３では、上下方向の中央付近に配置されているリブ（第１リブ）３３Ｌは水平方向に直線状に延びるように配置されており、このリブ３３Ｌよりも上に配置されているリブ（第２リブ）３４Ｌ，３５Ｌは上に凸となるように湾曲している。一方、３３Ｌよりも下に配置されているリブ３２（第３リブ）Ｌ，３１Ｌは、下に凸となるように湾曲している。そして、他の壁１２，１４のリブ３１Ｂ〜３５Ｂ，３１Ｂ〜３５Ｂも同様に形成されている。
【００２５】
また、上述したように、本実施形態ではリブの筐体内壁面からの高さを長手方向において変化させている。以下、その理由を説明する。
【００２６】
図３Ｂおよび図４Ｂに示すように、筐体内壁面においてミーゼス応力は不均一であり、概略、筐体内壁面中央においてミーゼス応力は最大となり、筐体内壁面周辺に向かうに従ってミーゼス応力は低くなる。従って、最大主応力が連続する線３１Ｌ’〜３５Ｌ’、３１Ｂ’〜３５Ｂ’の各線上におけるミーゼス応力も均一ではなく、ミーゼス応力は、線の長手方向において変化する。
【００２７】
図３Ｂには、図３Ｂに示された線３１Ｌ’〜３５Ｌ’に対応した線３１Ｌ’’〜３５Ｌ’’が示され、図４Ｂには図４Ａに示された線３１Ｂ’〜３５Ｂ’に対応した線３１Ｂ’’〜３５Ｂ’’が各々示されている。図３Ｂによると、例えば線３３Ｌ’’上の各メッシュのミーゼス応力は、線３３Ｌ’’の左端から中央に向かうに従って上昇し、中央から右端に向かうに従って低下する。また、線３５Ｌ’’上のミーゼス応力は、線３５Ｌ’’の左端から右に向かうに従って一旦上昇し、そこから中央に向かうに従って低下し、中央から右に向かうに従って一旦上昇し、そこから右端に向かうに従って低下する。
【００２８】
ここで、特定モードでの振動に対する剛性を十分に高めるためには、各メッシュに局所的に発生するミーゼス応力に応じた剛性を、リブの各メッシュと対応する位置に持たせるのが効果的であると考えられる。そこで、本実施形態では、リブ３１Ｌ〜３５Ｌ、３１Ｒ〜３５Ｒ、３１Ｂ〜３５Ｂの各々の各メッシュと対応する位置での高さを筐体内壁面における当該位置でのミーゼス応力に応じた高さとすることにより、リブの局所的な剛性を局所的なミーゼス応力に対応させている。なお、各リブの高さは、特には限定されないが、例えば、５〜２０ｍｍとすることができ、１０〜１５ｍｍとすることが好ましい。また、各リブの幅も、高さと同様にすることができる。
【００２９】
次に、本実施形態の効果を以下の第１〜第３比較例との比較において説明する。第１比較例は、リブが設けられていない通常のスピーカ筐体であり、左面壁及び右面壁の板厚は５ｍｍである。この板厚については、本実施形態、及び第３比較例においても同じである。第２比較例は、第１比較例の左面壁、右面壁の板厚を２ｍｍ増加させたスピーカ筐体である。第３比較例は、図６に示すように、上下方向に延びた平行な複数本のリブ４０を左面壁１３、右面壁１４および背面壁１２の各内壁面に固定したスピーカ筐体１０Ｂである。リブ４０の内壁面からの高さは５ｍｍであり、幅は５ｍｍである。本実施形態によるスピーカ筐体１０は、基本的に前掲図１に示す構成の筐体であるが、リブ３１Ｌ〜３５Ｌ、３１Ｒ〜３５Ｒ、３１Ｂ〜３５Ｂの高さは長手方向の位置に応じて変化させず、一律５ｍｍとし、幅も５ｍｍとした。
【００３０】
図７〜図９は第１〜第３比較例において放音によりスピーカ筐体の各壁面に発生する振動の周波数特性を示す図である。そして、図１０は本実施形態によるスピーカ筐体１０において放音によりスピーカ筐体の各壁面に発生する振動の周波数特性を示す図である。これらの図７〜図１０において、横軸は周波数（Ｈｚ）、縦軸は壁の振動の平均加速度（ｍ／ｓ２）である。そして、Ａ１１は前面壁１１に発生する振動の周波数特性、Ａ１２は背面壁１２に発生する振動の周波数特性、Ａ１３は左面壁１３に発生する振動の周波数特性、Ａ１４は右面壁１４に発生する振動の周波数特性、Ａ１５は天井壁１５に発生する振動の周波数特性を示している。
【００３１】
図７〜図１０によると、１次の振動モードのピークＰ１が発生する周波数は、第１比較例(図７）では４２５Ｈｚ、第２比較例（図８）では５３５Ｈｚ、第３比較例(図６、図９）では４８５Ｈｚ、本実施形態（図１、図１０）では７３０Ｈｚとなっている。このように本実施形態によれば、１次の振動モードの周波数を第１〜第３比較例に比べて大幅に上昇させることができる。また、本実施形態によれば、第２比較例や第３比較例と比べ、スピーカ筐体の大幅な重量を招くことなく、１次の振動モードの周波数を大幅に上昇させ、スピーカの再生音の品質劣化を抑制することができる。
【００３２】
以上、この発明の一実施形態について説明したが、この発明には他にも実施形態があり得る。例えば次の通りである。なお、以下の例は、１つ以上を組み合わせることができる。
【００３３】
（１）上記実施形態では、リブの各メッシュに対応する位置において局所的なミーゼス応力に応じた剛性を得るために、各リブの高さを当該リブの長手方向において変化させた。しかし、そのようにする代わりに、図１１に例示するように、リブの幅を当該リブの長手方向において変化させてもよい。あるいはリブの高さおよび幅の両方を当該リブの長手方向において変化させてもよい。すなわち、リブの高さまたは幅の少なくとも一方の寸法を当該リブの長手方向において変化させてもよい。
【００３４】
（２）上記実施形態では、スピーカ筐体１０の左面壁１３、右面壁１４、背面壁１２にリブを固定したが、他の壁にもリブを固定、あるいは全ての壁にリブを固定してもよい。すなわち、左面壁１３、右面壁１４、背面壁１２、天面壁１５、床壁１６のうちの、一以上の壁にリブを設けることもできる。また、全ての壁にリブを設けることができるため、本発明に係る第２壁にもリブを設けることもできる。
【００３５】
（３）上記実施形態では、１つの内壁面に５本のリブを固定したが、リブの本数はこれに限定されるものではなく、５本より多い本数のリブあるいは５本より少ない本数のリブを固定してもよい。また、内壁面毎に異なる本数のリブを固定してもよい。また、上記実施形態では、上下方向の中央付近のリブを直線状に形成し、それよりも上のリブを上に凸となるように湾曲させ、それよりも下のリブを下に凸となるように湾曲させているが、これに限定されない。例えば、直線状のリブを２以上設けてもよいし、あるいは設けなくてもよい。また、直線状のリブは、上下方向の中央付近以外に配置することもできる。また、全てのリブを下に凸、または上に凸に湾曲するように形成することもできる。すなわち、平行に並ぶ複数のリブのうち、少なくとも一部のリブが湾曲していればよい。また、各リブの曲率半径も特には限定されない。  
【００３６】
（４）上記実施形態では、スピーカ筐体の内壁面上にリブを固定したが、リブの設置態様は“固定”に限定されるものではない。例えば掘削等によりリブを内壁面に形成してもよい。
【００３７】
（５）上記実施形態では、略水平方向に延びるようにリブが形成されているが、各メッシュでの主応力の方向にしたがうのであれば、略上下方向に沿ってリブを設けることもできし、複数のリブの延びる方向として、略水平方向、略上下方向などの複数の方向を混在させることもできる。
【００３８】
上記実施形態では、リブの延びる方向を決定する際、隣接するメッシュの主応力の方向及び大きさが近くなるように、メッシュを選択しているが、これに限定されない。すなわち、全ての隣接するメッシュにおいて、主応力の方向及び大きさが近くなくてもよく、一部の隣接するメッシュにおいては、方向や大きさが多少異なっていてもよく、このように選択したメッシュにしたがって、リブの延びる方向を決定してもよい。また、リブは、連続していなくてもよく、リブの延びる方向において、所定間隔をおいて配置することもできる。
【００３９】
上記実施形態では、一次モードの振動を発生させたときの主応力に基づいて、リブの延びる方向を決定しているが、例えば、二次モード、三次モード等の高次のモードの振動を発生させたときの主応力に基づいて、リブの延びる方向を決定することもできる。例えば、図１２に示す例では、二次モードの振動を発生されたときに生じる主応力に基づいてリブを形成している。したがって、振動のモードにかかわらず、発生した主応力の方向に基づいて、種々のリブを形成することができる。
【００４０】
スピーカ筐体の形状は、上記実施形態のような直方体に限定されず、種々の形態が可能である。すなわち、スピーカユニットが取り付けられる前面壁のほか、複数の他の壁によって内部空間が形成されていればよく、複数の他の壁の少なくとも一部に上記リブが形成されていればよい。
【符号の説明】
【００４１】
１０……スピーカ筐体、１１……前面壁、１２……背面壁、１３……左面壁、１４……右面壁、１５……天井壁、１６……床壁、３１Ｌ〜３５Ｌ，３１Ｒ〜３５Ｒ，３１Ｂ〜３５Ｂ……リブ。
【図１】
2020054854.tif 000003
【図２Ａ】
2020054854.tif 000004
【図２Ｂ】
2020054854.tif 000005
【図３Ａ】
2020054854.tif 000006
【図３Ｂ】
2020054854.tif 000007
【図４Ａ】
2020054854.tif 000008
【図４Ｂ】
2020054854.tif 000009
【図５】
2020054854.tif 000010
【図６】
2020054854.tif 000011
【図７】
2020054854.tif 000012
【図８】
2020054854.tif 000013
【図９】
2020054854.tif 000014
【図１０】
2020054854.tif 000015
【図１１Ａ】
2020054854.tif 000016
【図１１Ｂ】
2020054854.tif 000017
【図１２】
2020054854.tif 000018
【国際調査報告】
2020054854.tif 000019
2020054854.tif 000020
2020054854.tif 000021
2020054854.tif 000022